(57)【特許請求の範囲】
【請求項１】
ユーザが所定の期間だけ利用する部屋や施設といった保険対象物の利用申し込みを取り仕切る者が利用する管理者端末と、上記保険対象物の利用状況を検知する利用確認装置と、これら管理者端末及び利用確認装置とネットワークを通じて通信可能に接続された保険契約管理装置とを備え、上記保険対象物で生じる火災や盗難、損害といった事故を対象として適切な保険の適用を管理する保険の契約システムであって、
上記管理者端末は、
ユーザから保険対象物の利用申し込みに伴う保険加入申込みに応じて、少なくとも保険対象物の識別情報と、利用予定期間と、保険の種類情報と、保険の種類の変更希望を表す変更保険情報と、を含む保険契約情報の入力を受け付ける入力受付手段と、
上記保険契約情報を、上記保険契約管理装置へ通知する保険契約情報送信手段と、
上記保険契約管理装置から、保険料情報を受信する保険料情報受信手段と、
を有し、
上記利用確認装置は、
上記保険対象物の利用開始又は利用終了の動作を検知し、該保険対象物の識別が可能な上記保険対象物の識別情報を含む情報であって、該保険対象物の利用開始を示す利用有情報又は利用終了を示す利用無情報のどちらか一方を有する利用有無情報を発信する利用状況発信手段と、
上記利用有無情報を、上記保険契約管理装置へ通知する利用有無情報通知手段と、
を有し、
上記保険契約管理装置は、
上記保険契約情報と関連づけて、保険対象物の利用開始時刻及び利用終了時刻と、適用されている保険の種類情報を示す適用保険情報と、を記憶する保険契約情報記憶手段と、
上記管理者端末から、上記保険契約情報を受信する保険契約情報受信手段と、
上記管理者端末から受信した保険契約情報を上記保険契約情報記憶手段に記憶する保険契約情報記憶処理手段と、
上記利用確認装置から、利用有無情報を受信して、当該利用有無情報が利用有情報であるか利用無情報であるかを判別する利用有無情報判別手段と、
上記利用有無情報の受信に応じて保険対象物の利用開始時刻又は利用終了時刻を特定する利用始終時刻特定手段と、
上記利用有無情報判別により利用有情報であると判別された場合には上記特定された利用開始時刻を、または、利用無情報であると判別された場合には上記特定された利用終了時刻を、当該利用有情報又は利用無情報に関連する保険対象物の識別情報に基づいて、上記保険契約情報と関連付けて上記保険契約情報記憶手段に記憶する時刻記憶処理手段と、
上記利用有無情報判別により利用有情報であると判別された場合、上記保険情報記憶手段を参照し、上記保険契約情報に含まれている利用予定期間内に受信したか否かを判別する利用予定期間内判別手段と、
上記保険情報記憶手段を参照し、上記保険契約情報に含まれている利用予定期間を経過したか否かを判別する利用期間外判別手段と、
上記利用期間内判別により利用有情報の受信が利用予定期間内であると判別された場合、上記利用有情報に関連する保険対象物の識別情報に基づいて、上記保険契約情報記憶手段を参照し、適用保険情報の有無を判別する保証中判別手段と、
上記保証中判別により適用保険情報無と判別された場合、利用有の場合に適用される上記保険の種類情報を適用される保険の種類情報を示す適用保険情報として記憶する保証開始手段と、
上記保証中判別により適用保険情報有と判別された場合、又は、上記利用有無情報判別手段により利用無情報の受信であると判別された場合、上記保険対象物の識別情報に基づいて上記保険契約情報記憶手段を参照し、保険の種類の変更希望を表す変更保険情報の有無を判別する変更有無判別手段と、
上記変更有無判別により変更保険情報有と判別された場合、適用保険情報有と判別された場合においては、利用有の場合に適用される上記保険の種類情報を、利用無情報の受信であると判別された場合においては、当該変更保険情報に対応する保険の種類情報を、適用保険情報として記憶する適用保険情報変更手段と、
上記利用有無情報判別により利用無情報であると判別された場合、上記保険契約情報記憶手段を参照して、上記利用開始時刻と上記利用終了時刻基づき保険対象物の利用時間を計算し、この保険対象物の利用時間から保証に要する保険料を算出する保険料算出手段と、上記保険料情報を上記管理者端末へ送信する保険料情報送信手段と、
上記利用期間外判別により利用予定期間を経過したと判別された場合、保険の適用の管理を終了する保証終了手段と、
を有することを特徴とする時限保険契約システム。
【請求項２】
上記利用状況発信手段は、上記ユーザが上記保険対象物に入出した動作をそれぞれ検知し、上記利用有無情報を発信されるものであること、
を特徴とする請求項１に記載の時限保険契約システム。
【請求項３】
上記利用状況発信手段は、上記保険対象物に具備された扉の錠前の施錠又は開錠を判別するものであること、
を特徴とする請求項２に記載の時限保険契約システム。
【請求項４】
上記利用状況発信手段は、上記保険対象物に具備された扉を開閉する鍵を保持するホルダーでの鍵の有無を判別するものであること、
を特徴とする請求項２に記載の時限保険契約システム。
【請求項５】
上記利用状況発信手段は、上記保険対象物に具備された照明の点灯又は消灯を判別するものであること、
を特徴とする請求項２に記載の時限保険契約システム。
【請求項６】
上記利用状況発信手段は、上記保険対象物で使用された電気量が所定値を超えたか否か判別するものであること、
を特徴とする請求項２に記載の時限保険契約システム。
【請求項７】
ユーザが所定の期間だけ利用する部屋や施設といった保険対象物を管理する者が利用する管理者端末と、上記保険対象物に具備された利用状況を検知する利用確認装置と、ネットワークを通じて通信可能に接続され、上記保険対象物内で生じる火災や盗難、損害といった事故を対象として適切な保険の適用を管理する保険契約管理装置であって、
少なくとも保険対象物の識別情報と、利用予定期間と、保険の種類情報と、保険の種類の変更希望を表す変更保険情報と、を含む保険契約情報と関連づけて、保険対象物の利用開始時刻及び利用終了時刻と、適用されている保険の種類情報を示す適用保険情報と、を記憶する保険契約情報記憶手段と、
上記管理者端末から、上記保険契約情報を受信する保険契約情報受信手段と、
上記管理者端末から受信した保険契約情報を上記保険契約情報記憶手段に記憶する保険契約情報記憶処理手段と、
上記利用確認装置から、該保険対象物の識別が可能な上記保険対象物の識別情報を含む情報であって、該保険対象物の利用開始を示す利用有情報又は利用終了を示す利用無情報のどちらか一方を有する利用有無情報を受信して、当該利用有無情報が利用有情報であるか利用無情報であるかを判別する利用有無情報判別手段と、
上記利用有無情報の受信に応じて保険対象物の利用開始時刻又は利用終了時刻を特定する利用始終時刻特定手段と、
上記利用有無情報判別により利用有情報であると判別された場合には上記特定された利用開始時刻を、または、利用無情報であると判別された場合には上記特定された利用終了時刻を、当該利用有情報又は利用無情報に関連する保険対象物の識別情報に基づいて、上記保険契約情報と関連付けて上記保険契約情報記憶手段に記憶する時刻記憶処理手段と、
上記利用有無情報判別により利用有情報であると判別された場合、上記保険情報記憶手段を参照し、上記保険契約情報に含まれている利用予定期間内に受信したか否かを判別する利用予定期間内判別手段と、
上記保険情報記憶手段を参照し、上記保険契約情報に含まれている利用予定期間を経過したか否かを判別する利用期間外判別手段と、
上記利用期間内判別により利用有情報の受信が利用予定期間内であると判別された場合、上記利用有情報に関連する保険対象物の識別情報に基づいて、上記保険契約情報記憶手段を参照し、適用保険情報の有無を判別する保証中判別手段と、
上記保証中判別により適用保険情報無と判別された場合、利用有の場合に適用される上記保険の種類情報を適用される保険の種類情報を示す適用保険情報として記憶する保証開始手段と、
上記保証中判別により適用保険情報有と判別された場合、又は、上記利用有無情報判別手段により利用無情報の受信であると判別された場合、上記保険対象物の識別情報に基づいて上記保険契約情報記憶手段を参照し、保険の種類の変更希望を表す変更保険情報の有無を判別する変更有無判別手段と、
上記変更有無判別により変更保険情報有と判別された場合、適用保険情報有と判別された場合においては、利用有の場合に適用される上記保険の種類情報を、利用無情報の受信であると判別された場合においては、当該変更保険情報に対応する保険の種類情報を、適用保険情報として記憶する適用保険情報変更手段と、
上記利用有無情報判別により利用無情報であると判別された場合、上記保険契約情報記憶手段を参照して、上記利用開始時刻と上記利用終了時刻基づき保険対象物の利用時間を計算し、この保険対象物の利用時間から保証に要する保険料を算出する保険料算出手段と、
上記保険料情報を上記管理者端末へ送信する保険料情報送信手段と、
上記利用期間外判別により利用予定期間を経過したと判別された場合、保険の適用の管理を終了する保証終了手段と、
を有することを特徴とする保険契約管理装置。
【請求項８】
ユーザが所定の期間だけ利用する部屋や施設といった保険対象物の利用申し込みを取り仕切る者が利用する管理者端末と、上記保険対象物の利用状況を検知する利用確認装置と、これら管理者端末及び利用確認装置とネットワークを通じて通信可能に接続され、少なくとも保険対象物の識別情報と利用予定期間と保険の種類情報と保険の種類の変更希望を表す変更保険情報とを含む保険契約情報と関連づけて、保険対象物の利用開始時刻及び利用終了時刻と、適用されている保険の種類情報を示す適用保険情報と、を記憶する保険契約情報記憶手段を有する保険契約管理装置と、を備えたシステムにより処理が行われ、上記保険対象物内で生じる火災や盗難、損害といった事故を対象として適切な保険の適用を管理する時限保険契約処理方法であって、
上記管理者端末が、
ユーザから保険対象物の利用申し込みに伴う保険加入申込みに応じて、少なくとも保険対象物の識別情報と、利用予定期間と、保険の種類情報と、保険の種類の変更希望を表す変更保険情報と、を含む保険契約情報の入力を受け付ける処理と、
上記保険契約情報を、上記保険契約管理装置へ通知する処理と、
上記保険契約管理装置から、保険料情報を受信する処理と、
を行い、
上記利用確認装置が、
上記保険対象物の利用開始又は利用終了の動作を検知し、該保険対象物の識別が可能な上記保険対象物の識別情報を含む情報であって、該保険対象物の利用開始を示す利用有情報又は利用終了を示す利用無情報のどちらか一方を有する利用有無情報を発信する処理と、
上記利用有無情報を、上記保険契約管理装置へ通知する処理と、
を行い、
上記保険契約管理装置が、
上記管理者端末から、上記保険契約情報を受信する処理と、
上記管理者端末から受信した保険契約情報を上記保険契約情報記憶手段に記憶する処理と、
上記利用確認装置から、利用有無情報を受信して、当該利用有無情報が利用有情報であるか利用無情報であるかを判別する処理と、
上記利用有無情報の受信に応じて保険対象物の利用開始時刻又は利用終了時刻を特定する処理と、
上記利用有無情報判別により利用有情報であると判別された場合には上記特定された利用開始時刻を、または、利用無情報であると判別された場合には上記特定された利用終了時刻を、当該利用有情報又は利用無情報に関連する保険対象物の識別情報に基づいて、上記保険契約情報と関連付けて上記保険契約情報記憶手段に記憶する処理と、
上記利用有無情報判別により利用有情報であると判別された場合、上記保険情報記憶手段を参照し、上記保険契約情報に含まれている利用予定期間内に受信したか否かを判別する処理と、
上記保険情報記憶手段を参照し、上記保険契約情報に含まれている利用予定期間を経過したか否かを判別する処理と、
上記利用期間内判別により利用有情報の受信が利用予定期間内であると判別された場合、上記利用有情報に関連する保険対象物の識別情報に基づいて、上記保険契約情報記憶手段を参照し、適用保険情報の有無を判別する処理と、
上記保証中判別により適用保険情報無と判別された場合、利用有の場合に適用される上記保険の種類情報を適用される保険の種類情報を示す適用保険情報として記憶する処理と、
上記保証中判別により適用保険情報有と判別された場合、又は、上記利用有無情報判別により利用無情報の受信であると判別された場合、上記保険対象物の識別情報に基づいて上記保険契約情報記憶手段を参照し、保険の種類の変更希望を表す変更保険情報の有無を判別する処理と、
上記変更有無判別により変更保険情報有と判別された場合、適用保険情報有と判別された場合においては、利用有の場合に適用される上記保険の種類情報を、利用無の受信であると判別された場合においては、当該変更保険情報に対応する保険の種類情報を、適用保険情報として記憶する処理と、
上記利用有無情報判別により利用無情報であると判別された場合、上記保険契約情報記憶手段を参照して、上記利用開始時刻と上記利用終了時刻基づき保険対象物の利用時間を計算し、この保険対象物の利用時間から保証に要する保険料を算出する処理と、
上記保険料情報を上記管理者端末へ送信する処理と、
上記利用期間外判別により利用予定期間を経過したと判別された場合、保険の適用の管理を終了する処理と、
を行うことを特徴とする時限保険契約処理方法。
【請求項９】
ユーザが所定の期間だけ利用する部屋や施設といった保険対象物を管理する者が利用する管理者端末と、上記保険対象物に具備された利用状況を検知する利用確認装置と、ネットワークを通じて通信可能に接続され、少なくとも保険対象物の識別情報と利用予定期間と保険の種類情報と保険の種類の変更希望を表す変更保険情報とを含む保険契約情報と関連づけて、保険対象物の利用開始時刻及び利用終了時刻と、適用されている保険の種類情報を示す適用保険情報と、を記憶する保険契約情報記憶手段を有する保険契約管理装置により行われる時限保険契約処理方法であって、
上記保険契約管理装置が、
上記管理者端末から、上記保険契約情報を受信する処理と、
上記管理者端末から受信した保険契約情報を上記保険契約情報記憶手段に記憶する処理と、
上記利用確認装置から、該保険対象物の識別が可能な上記保険対象物の識別情報を含む情報であって、該保険対象物の利用開始を示す利用有情報又は利用終了を示す利用無情報のどちらか一方を有する利用有無情報を受信して、当該利用有無情報が利用有情報であるか利用無情報であるかを判別する処理と、
上記利用有無情報の受信に応じて保険対象物の利用開始時刻又は利用終了時刻を特定する処理と、
上記利用有無情報判別により利用有情報であると判別された場合には上記特定された利用開始時刻を、または、利用無情報であると判別された場合には上記特定された利用終了時刻を、当該利用有情報又は利用無情報に関連する保険対象物の識別情報に基づいて、上記保険契約情報と関連付けて上記保険契約情報記憶手段に記憶する処理と、
上記利用有無情報判別により利用有情報であると判別された場合、上記保険情報記憶手段を参照し、上記保険契約情報に含まれている利用予定期間内に受信したか否かを判別する処理と、
上記保険情報記憶手段を参照し、上記保険契約情報に含まれている利用予定期間を経過したか否かを判別する処理と、
上記利用期間内判別により利用有情報の受信が利用予定期間内であると判別された場合、上記利用有情報に関連する保険対象物の識別情報に基づいて、上記保険契約情報記憶手段を参照し、適用保険情報の有無を判別する処理と、
上記保証中判別により適用保険情報無と判別された場合、利用有の場合に適用される上記保険の種類情報を適用される保険の種類情報を示す適用保険情報として記憶する処理と、
上記保証中判別により適用保険情報有と判別された場合、又は、上記利用有無情報判別により利用無情報の受信であると判別された場合、上記保険対象物の識別情報に基づいて上記保険契約情報記憶手段を参照し、保険の種類の変更希望を表す変更保険情報の有無を判別する処理と、
上記変更有無判別により変更保険情報有と判別された場合、適用保険情報有と判別された場合においては利用有の場合に適用される上記保険の種類情報を、利用無情報の受信であると判別された場合においては、当該変更保険情報に対応する保険の種類情報を、適用保険情報として記憶する処理と、
上記利用有無情報判別により利用無情報であると判別された場合、上記保険契約情報記憶手段を参照して、上記利用開始時刻と上記利用終了時刻基づき保険対象物の利用時間を計算し、この保険対象物の利用時間から保証に要する保険料を算出する処理と、
上記保険料情報を上記管理者端末へ送信する処理と、
上記利用期間外判別により利用予定期間を経過したと判別された場合、保険の適用の管理を終了する処理と、
を行うことを特徴とする時限保険契約処理方法。
【請求項１０】
ユーザが所定の期間だけ利用する部屋や施設といった保険対象物を管理する者が利用する管理者端末と、上記保険対象物に具備された利用状況を検知する利用確認装置と、ネットワークを通じて通信可能に接続された、少なくとも保険対象物の識別情報と利用予定期間と保険の種類情報と保険の種類の変更希望を表す変更保険情報とを含む保険契約情報と関連づけて、保険対象物の利用開始時刻及び利用終了時刻と、適用されている保険の種類情報を示す適用保険情報と、を記憶する保険契約情報記憶手段を有する保険契約管理装置に対して、上記保険対象物内で生じる火災や盗難、損害といった事故を対象として適切な保険の適用を管理する処理を実行させるコンピュータプログラムであって、
上記保険契約管理装置に対して、
上記管理者端末から、上記保険契約情報を受信する処理と、
上記管理者端末から受信した保険契約情報を上記保険契約情報記憶手段に記憶する処理と、
上記利用確認装置から、該保険対象物の識別が可能な上記保険対象物の識別情報を含む情報であって、該保険対象物の利用開始を示す利用有情報又は利用終了を示す利用無情報のどちらか一方を有する利用有無情報を受信して、当該利用有無情報が利用有情報であるか利用無情報であるかを判別する処理と、
上記利用有無情報の受信に応じて保険対象物の利用開始時刻又は利用終了時刻を特定する処理と、
上記利用有無情報判別により利用有情報であると判別された場合には上記特定された利用開始時刻を、または、利用無情報であると判別された場合には上記特定された利用終了時刻を、当該利用有情報又は利用無情報に関連する保険対象物の識別情報に基づいて、上記保険契約情報と関連付けて上記保険契約情報記憶手段に記憶する処理と、
上記利用有無情報判別により利用有情報であると判別された場合、上記保険情報記憶手段を参照し、上記保険契約情報に含まれている利用予定期間内に受信したか否かを判別する処理と、
上記保険情報記憶手段を参照し、上記保険契約情報に含まれている利用予定期間を経過したか否かを判別する処理と、
上記利用期間内判別により利用有情報の受信が利用予定期間内であると判別された場合、上記利用有情報に関連する保険対象物の識別情報に基づいて、上記保険契約情報記憶手段を参照し、適用保険情報の有無を判別する処理と、
上記保証中判別により適用保険情報無と判別された場合、利用有の場合に適用される上記保険の種類情報を適用される保険の種類情報を示す適用保険情報として記憶する処理と、
上記保証中判別により適用保険情報有と判別された場合、又は、上記利用有無情報判別により利用無情報の受信であると判別された場合、上記保険対象物の識別情報に基づいて上記保険契約情報記憶手段を参照し、保険の種類の変更希望を表す変更保険情報の有無を判別する処理と、
上記変更有無判別により変更保険情報有と判別された場合、適用保険情報有と判別された場合においては、利用有の場合に適用される上記保険の種類情報を、利用無情報の受信であると判別された場合においては、当該変更保険情報に対応する保険の種類情報を、適用保険情報として記憶する処理と、
上記利用有無情報判別により利用無情報であると判別された場合、上記保険契約情報記憶手段を参照して、上記利用開始時刻と上記利用終了時刻基づき保険対象物の利用時間を計算し、この保険対象物の利用時間から保証に要する保険料を算出する処理と、
上記保険料情報を上記管理者端末へ送信する処理と、
上記利用期間外判別により利用予定期間を経過したと判別された場合、保険の適用の管理を終了する処理と
を実行させることを特徴とするコンピュータプログラム。
【発明の詳細な説明】
【技術分野】
【０００１】
本発明は、ユーザが費用を支払って所定の期間だけ利用する部屋や施設といった賃貸物を保険対象物として、適切な補償費用の負担で保険の適用を可能にする時限保険契約システムとその装置、方法、及びプログラムに関するものである。
【背景技術】
【０００２】
ユーザが費用を支払って所定の期間だけ、アパートやマンション、ホテル等の居室や、会議室、テニスコートや野球場、体育館等のスポーツ施設といった賃貸物を利用する場合、該賃貸物を保険対象物として、何らかの事故や災害に対する補償のために、火災や盗難、（対物）損害といった保険に一時的に加入することがなされている。
【０００３】
ところが、このような保険の契約システムでは、補償が必要な上記保険対象物の利用状況に合わせて的確な費用を算出することが困難であるため、実際には保険対象物を利用しておらず適用される補償が必要ない場合に対しても、過去の事故統計値などに基づいた画一的な保険設定がなされている。そのため、予め希望した利用予定期間全てを補償の対象として適用し、その分の補償費用を負担しなければならない点で矛盾を有する。
【０００４】
そこで、保険対象物の実際の利用状況に応じた課金を行うことにより、このような矛盾をなくし、公平かつ適切な保険料を課金することができるようにした手段が幾つか提案されている。
たとえば、保険業者が予め設定した期間中、当該締結した保険を有効に存続させるために必要な基本保険料を保険加入者毎に演算して一括請求処理し、所定期間毎に前記締結した保険の適用を受けるために必要な使用保険料について該締結した保険を使用した分の演算処理を行い、保険加入者に対し所定期間毎に請求するようにした保険の保険料支払いシステム手段が提案されている（特許文献１参照）。
また、ユーザの所持する携帯型移動通信端末から前記保険契約についての保険制御信号を受信する信号受信手段と、受信した前記保険制御信号を応答して、前記保険契約にかかる期間的条件を制御する保険制御手段とを備えた保険契約システムが提案されている（特許文献２参照）。
さらに、保険対象物の利用状態をあらわす利用状態情報を取得する利用状態情報取得手段を備える保険対象物側装置と、上記利用状態情報取得手段の取得した利用状態情報に応じた金額の保険料を課金する課金手段を備える課金装置とが通信回線を介して接続されてなる保険料課金システムも提案されている（特許文献３参照）。
【発明の開示】
【発明が解決しようとする課題】
【０００５】
しかしながら、上記手段は何れも、利用状況に応じて課金を行うようにした手段ではあるが、保険対象物の利用者が基本的な保険契約を結んでいることを前提としており、保険対象物の利用者であるユーザと、保険対象物の所有者を含めた管理者とが異なり、事前に保険契約を結んでいないユーザが所定の期間だけ、保険契約を結んでいる管理者の保険対象物を利用する場合に、その利用状況に応じた割合の費用負担で保険の適用を可能とするものではない。
すなわち、保険対象物の管理者が、いつ、どれくらいの期間、上記ユーザに保険対象物の利用を許可するのか、保証をする保険会社側では判別が付かず適切な費用の額の算出を行うことができない。なお、この場合、保険対象物にセンサを設置することでユーザの利用状況を検知することが考えられるが、単にセンサを設置しただけでは、管理者が入出したり、掃除やメンテナンス業者等が入出したりした場合でも検知されてしまい、管理者が利用を許可したユーザであるか否か判別ができない。
また、事故や災害は保険対象物を利用していなければ起きないというものではなく、保険対象物を利用していない時においても保証は必要であるので、基本的な保険契約となる最低限の補償を得るための費用負担を要するが、保険契約を結んでいないユーザに保険対象物を利用させる場合に、上記手段では、保険料の負担先の決定や、その割合の決定、及びこれらの変更を行うことができない。
さらに、上記手段では、保険対象物の実際の利用状況に即して、適用される保険の種類の変更を行うこともできない。
【特許文献１】特開２００２−３３４２１７号公報
【特許文献２】特開２００３−０５０９１４号公報
【特許文献３】特開２００３−０７６８５９号公報
【０００６】
本発明は、上述のような課題に鑑みてなされたものであって、ユーザが費用を支払って所定の期間だけ利用する部屋や施設といった賃貸物を保険対象物とし、該保険対象物で生じる火災や盗難、損害といった事故や災害に対する補償のための保険において、ユーザの利用状況に応じて実際に保証が必要な期間だけ適切な費用負担で保険の適用を可能とし、しかも、保険料の負担先やその割合の決定、及びこれらの変更を行うことを可能とすると共に、保険対象物の実際の利用状況に即して、適用される保険の種類の変更を行うことも可能とする時限保険契約システムとその装置、方法、及びプログラムを提供することを目的とする。
【課題を解決するための手段】
【０００７】
本発明の請求項1記載の時限保険契約システムは、ユーザが所定の期間だけ利用する部屋や施設といった保険対象物で生じる火災や盗難、損害といった事故を対象として適切な保険を適用する保険の契約システムであって、上記保険対象物の利用申し込みを取り仕切る者が利用する管理者端末と、上記保険対象物の利用状況を確認する利用確認装置と、これら管理者端末及び利用確認装置とネットワークを通じて通信可能に接続された保険契約管理装置とを備え、上記管理者端末は、ユーザから保険対象物の利用申し込みに伴う保険加入申込みに応じて、少なくとも保険対象物の識別情報及び利用予定期間、保険の種類を指定する情報並びに保険の変更希望を表す変更保険情報といった保険適用に関する保険契約情報の入力を受け付ける手段と、上記保険契約情報を、上記保険契約管理装置へ通知する手段と、上記保険契約管理装置から、保険料情報を受信する手段と、を有し、上記利用確認装置は、上記保険対象物の利用開始又は利用終了の動作を検知し、該保険対象物の識別が可能な上記利用確認装置の識別情報と共に利用有無情報を発信する手段と、上記利用有無情報を、上記保険契約管理装置へ通知する手段と、を有し、上記保険契約管理装置は、上記管理者端末から、保険契約情報を受信する手段と、上記保険契約情報を記憶する手段と、上記利用確認装置から、利用有無情報を受信して、上記保険契約情報に含まれている利用予定期間内に受信したか否かを判別する手段と、上記利用有無情報の受信に応じて保険対象物の利用開始時刻又は利用終了時刻を特定する手段と、上記利用開始時刻及び利用終了時刻を、上記保険契約情報と関連付けて記憶する手段と、上記利用開始時刻と上記利用終了時刻基づき保険対象物の利用時間を計算し、この保険対象物の利用時間から保証に要する保険料を算出する手段と、上記受信した利用有無情報が利用予定期間内であると判別された場合には、上記保険契約情報に基づいて適用保険の種類を変更して保証を実行する手段と、上記保険料情報を上記管理者端末へ送信する手段と、を有することを特徴とする。
【０００９】
上記利用有無情報は、上記ユーザが上記保険対象物に入出した動作をそれぞれ検知するセンサにより発信されるものであることを特徴とする。
【００１０】
上記保険対象物に具備された扉の錠前の施錠又は開錠を判別するものであることを特徴とする。
【００１１】
上記センサは、上記保険対象物に具備された扉を開閉する鍵を保持するホルダーでの鍵の有無を判別するものであることを特徴とする。
【００１２】
上記センサは、上記保険対象物に具備された照明の点灯又は消灯を判別するものであることを特徴とする。
【００１３】
上記センサは、上記保険対象物で使用された電気量が所定値を超えたか否か判別するものであることを特徴とする。
【００１４】
本発明にかかる装置は、ユーザが所定の期間だけ利用する部屋や施設といった保険対象物を管理する者が利用する管理者端末と、上記保険対象物に具備された利用状況を確認する利用確認装置と、ネットワークを通じて通信可能に接続され、上記保険対象物内で生じる火災や盗難、損害といった事故を対象として適切な保険を適用する保険契約の装置であって、上記管理者端末から、少なくとも利用対象物の識別情報及び利用予定期間、保険の種類を指定する情報並びに保険の変更希望を表す変更保険情報といった保険適用に関する保険契約情報を受信する手段と、上記保険契約情報を記憶する手段と，上記利用確認装置から、上記保険対象物の利用開始又は利用終了に伴う利用有無情報を受信して、上記保険契約情報に含まれている利用予定期間内に受信したか否かを判別する手段と、上記利用有無情報の受信に応じて保険対象物の利用開始時刻又は利用終了時刻を特定する手段と、上記利用開始時刻及び利用終了時刻を、上記保険契約情報と関連付けて記憶する手段と、上記利用開始時刻と上記利用終了時刻基づき保険対象物の利用時間を計算し、この保険対象物の利用時間から保証に要した保険料を算出する手段と、上記受信した利用有無情報が利用予定期間内であると判別された場合には、上記保険契約情報に基づいて適用保険の種類を変更して保証を実行する手段と、上記保険料情報を上記管理者端末へ送信する手段と、を有することを特徴とする。
【００１５】
上記利用有無情報の受信に応じて適用保険の種類を変更して保証を実行する手段をさらに有することを特徴とする。
【００１６】
本発明の時限保険契約方法は、ユーザが所定の期間だけ利用する部屋や施設といった保険対象物内で生じる火災や盗難、損害といった事故を対象として適切な保険を適用する保険の契約方法であって、上記保険対象物の利用申し込みを取り仕切る者が利用する管理者端末が、ユーザから保険対象物の利用申し込みに伴う保険加入申込みに応じて、少なくとも利用対象物の識別情報及び利用予定期間、保険の種類を指定する情報並びに保険の変更希望を表す変更保険情報といった保険適用に関する保険契約情報の入力を保険適用情報受付部にて受け付けるステップと、上記管理者端末が、ネットワークを通じて通信可能に接続された保険契約管理装置へ上記保険契約情報を保険契約情報送信部より送信するステップと、上記保険契約管理装置が、ネットワークを通じて上記保険契約情報を保険契約情報受信部にて受信し、該保険契約情報を保険契約情報記憶部に記憶するステップと、上記保険対象物の利用状況を確認する利用確認装置が、上記保険対象物の利用開始又は利用終了に伴う動作を利用状況検知部にて検知し、さらに利用有無情報を発信するステップと、上記利用確認装置が、ネットワークを通じて通信可能に接続された保険契約管理装置へ上記利用有無情報を利用情報通知部より通知するステップと、上記保険契約管理装置が、ネットワークを通じて上記利用有無情報を利用情報受信部にて受信し、上記保険契約情報に含まれている利用予定期間内に受信したか否かを判別するステップと、上記保険契約管理装置が、上記利用有無情報の受信に応じて保険対象物の利用開始時刻又は利用終了時刻を利用時刻特定部にて特定し、上記利用開始時刻及び利用終了時刻を上記保険契約情報と関連付けて上記保険契約情報記憶部に記憶するステップと、上記保険契約管理装置が、上記利用開始時刻と上記利用終了時刻に基づき保険対象物の利用時間を保険料算出部にて計算し、さらにこの保険対象物の利用時間から保証に要する保険料を算出するステップと、上記保険契約管理装置が、上記受信した利用有無情報が利用予定期間内であると判別された場合には、上記保険契約情報に基づいて適用保険の種類を変更して保証を実行する処理と、上記保険契約管理装置が、上記管理者端末へ上記保険料情報を保険料情報送信部より送信するステップと、を少なくとも有することを特徴とする。
【００１７】
本発明の時限保険契約方法は、ユーザが所定の期間だけ利用する部屋や施設といった保険対象物内で生じる火災や盗難、損害といった事故を対象として適切な保険を適用する保険の契約方法であって、上記保険対象物の利用申し込みを取り仕切る者が利用する管理者端末が、ユーザから保険対象物の利用申し込みに伴う保険加入申込みに応じて、少なくとも利用対象物の識別情報及び利用予定期間、保険の種類を指定する情報並びに保険の変更希望を表す変更保険情報といった保険適用に関する保険契約情報の入力を保険適用情報受付部にて受け付けるステップと、上記管理者端末が、ネットワークを通じて通信可能に接続された保険契約管理装置へ上記保険契約情報を保険契約情報送信部より送信するステップと、上記保険契約管理装置が、ネットワークを通じて上記保険契約情報を保険契約情報受信部にて受信し、上記保険契約情報に含まれている利用予定期間内に受信したか否かを判別するステップと、上記受信した保険契約情報を保険契約情報記憶部に記憶するステップと、上記保険対象物の利用状況を確認する利用確認装置が、上記保険対象物の利用開始又は利用終了に伴う利用有無情報を利用状況検知部にて検知し、さらに利用有無情報を発信するステップと、上記利用確認装置が、ネットワークを通じて通信可能に接続された保険契約管理装置へ上記利用有無情報を利用情報通知部より通知するステップと、上記保険契約管理装置が、ネットワークを通じて上記利用有無情報を利用情報受信部にて受信するステップと、上記保険契約管理装置が、上記受信した利用有無情報が利用予定期間内であると判別した場合に上記変更保険情報に基づいて適用保険の種類を変更して保証を実行するステップと、を少なくとも有することを特徴とする。
【００１８】
本発明にかかるコンピュータプログラムは、ユーザが所定の期間だけ利用する部屋や施設といった保険対象物を管理する者が利用する管理者端末と、上記保険対象物に具備された利用状況を確認する利用確認装置と、ネットワークを通じて通信可能に接続され、上記保険対象物内で生じる火災や盗難、損害といった事故を対象として適切な保険を適用する保険の契約装置としてコンピュータを機能させるためのコンピュータプログラムであって、コンピュータに対して、上記管理者端末から、少なくとも利用対象物の識別情報及び利用予定期間、保険の種類を指定する情報並びに保険の変更希望を表す変更保険情報といった保険適用に関する保険契約情報を受信して、上記保険契約情報に含まれている利用予定期間内に受信したか否かを判別する処理と、上記保険契約情報を記憶する処理と、上記利用確認装置から、上記保険対象物の利用開始又は利用終了に伴う利用有無情報を受信する処理と、上記利用有無情報の受信に応じて保険対象物の利用開始時刻又は利用終了時刻を特定する処理と、上記利用開始時刻及び利用終了時刻を、上記保険契約情報と関連付けて記憶する処理と、上記利用開始時刻と上記利用終了時刻基づき保険対象物の利用時間を計算し、この保険対象物の利用時間から保証に要する保険料を算出する処理と、上記受信した利用有無情報が利用予定期間内であると判別された場合には、上記変更保険情報に基づいて適用保険の種類を変更して保証を実行する処理と、上記保険料情報を上記管理者端末へ送信する処理と、を実行させることを特徴とする。
【００１９】
本発明にかかるコンピュータプログラムは、ユーザが所定の期間だけ利用する部屋や施設といった保険対象物を管理する者が利用する管理者端末と、上記保険対象物に具備された利用状況を確認する利用確認装置と、ネットワークを通じて通信可能に接続され、上記保険対象物内で生じる火災や盗難、損害といった事故を対象として適切な保険を適用する保険の契約装置としてコンピュータを機能させるためのコンピュータプログラムであって、コンピュータに対して、上記管理者端末から、少なくとも利用対象物の識別情報及び利用予定期間、保険の種類を指定する情報並びに保険の変更希望を表す変更保険情報といった保険適用に関する保険契約情報を受信して、上記保険契約情報に含まれている利用予定期間内に受信したか否かを判別する処理と、上記保険契約情報を記憶する処理と、上記利用確認装置から、上記保険対象物の利用開始又は利用終了に伴う利用有無情報を受信する処理と、上記受信した利用有無情報が利用予定期間内であると判別された場合には、保証変更実行部にて上記変更保険情報に基づいて適用保険の種類を変更して保証を実行する処理と、を実行させることを特徴とする。
【発明の効果】
【００２０】
本発明によれば、保険契約管理装置が、保険対象物の利用を希望するユーザより受け付けた保険適用に関する保険契約情報を、保険契約を結んでいる管理者が利用する管理者端末より受け付けることによって、管理者が許可したユーザが、いつ、どれくらいの期間、保険対象物を利用するのかを判別することができることとなって、保険契約を結んでいないユーザでも所定の期間だけ上記管理者の保険対象物を利用することを可能とする。また、保険契約管理装置が、上記ユーザの当該保険対象物の利用開始又は終了に伴う動作を検知することによって発信した利用有無情報を、当該保険対象物に具備された利用確認装置より受け付け、該利用有無情報に応じて利用開始時刻又は利用終了時刻を特定して、当該保険対象物の実際の利用時間を計算し、適切な費用の額の算出することができる。
したがって、保険契約を結んでいないユーザでも人物を特定されることなく、実際に保証が必要な所定の期間だけ利用時間に応じて適切な費用負担で保険を掛けて、事故や災害が生じた場合にその補償を受けることができる。
しかも、保険対象物の実際の利用状況がわかるので、当該利用状況に即して保険料の負担先やその割合を決定したり、適用する保険の種類や内容の変更を適切に行ったりすることも可能となる。
【発明を実施するための最良の形態】
【００２１】
以下、図面を参照しながら、本発明に係る時限保険契約システムの実施形態について説明する。図１は、本発明に係る時限保険契約システムの一実施形態の構成を示す概略図であり、図２は、その構成を示すブロック図である。
本実施形態の時限保険契システムは、図１に示すように、ユーザＣからの保険対象物２の利用申し込みを受ける者が利用する管理者端末１と、上記ユーザＣが利用することとなる保険対象物２の利用状況を確認する利用確認装置２０と、これら管理者端末１及び利用確認装置２０とネットワークを通じて通信可能に接続され、上記保険対象物２の時限保険契約を可能とする各処理を行う保険契約管理装置３とから構成される。
【００２２】
ここで、ユーザＣとは、利用を希望する保険対象物２に関する保険契約を結んでいないが、費用を支払って所定の期間だけ上記保険対象物２の利用を希望する者をいう。
また、保険は、上記保険対象物２で生じる火災や盗難、損害といった偶発的な事故や災害による損害を補償するために、契約先の保険会社が契約者と契約を結んで保険料（掛け金）を受け取り、必要な時に保険金を払い戻す制度をいう。
さらに、保険対象物２は、上記ユーザＣが所定の期間だけ利用するアパートやマンション、ホテル等の居室や、会議室、店舗、事務所といった不動産や、テニスコートや野球場、体育館等のスポーツ施設、等をいう。
【００２３】
そして、管理者端末１は、図２に示すように、たとえば少なくとも保険契約情報受付部１１と、保険契約情報送信部１２と、保険料情報受信部１３とを有して構成される。
この管理者端末１は、所定の期間だけ上記保険対象物２を利用することを希望するユーザからの申し込みに応じて、少なくとも保険対象物２の識別情報（ＩＤ）、及び利用予定期間といった保険適用に関する保険契約情報の入力を受け付け、上記保険契約管理装置３へ通知することができる装置であって、たとえば具体的に管理者等が日常使用している、ネットワークを通じての通信が可能なパーソナルコンピュータが挙げられる。
【００２４】
保険契約情報受付部１１は、ユーザＣから保険対象物２の利用申し込みに伴う保険加入申込みに応じて、少なくとも保険対象物の識別情報及び利用予定期間といった保険適用に関する保険契約情報の入力を受け付ける処理を行う。また、保険契約情報には、適用する保険の種類や、追加する保険の種類、もしくは保険対象物２の利用状況に応じて変更する保険の種類等を指定する情報が含まれていても良い。
保険契約情報送信部１２は、上記保険契約情報受付部１１で受け付けた保険契約情報を、通信ネットワークを介して保険契約管理装置３へ通知する処理を行う。
【００２５】
保険料情報受信部１３は、通信ネットワークを介して保険契約管理装置３から送られてきた上記保険対象物２の実際の利用状況に応じて課金された保険料情報を受信する処理を行う。受信された保険料情報は、必要に応じて図示しない表示手段によって表示することができる。
ここで、上記通信ネットワークとしては、たとえばインターネットやＬＡＮなどのコンピュータ通信網がある。したがって、管理者端末１と保険契約管理装置３は、図示しない専用線、公衆交換電話網（ＰＳＴＮ）、無線電話網、ＣＡＴＶ網、衛星通信網等の通信回線を介して通信ネットワークと接続している。
【００２６】
また、利用確認装置２０は、ユーザＣが上記保険対象物２の利用を開始するか終了するか、その利用状況を確認する上記保険対象物２に具備された装置であって、図２に示すように、たとえば少なくとも利用状況検知部２１と、利用情報送信部２２とを有して構成される。
【００２７】
利用状況検知部２１は、保険対象物２の利用開始又は利用終了の動作を検知し、当該利用確認装置２０の識別が可能な該保険対象物２の識別情報（ＩＤ）と共に利用有無情報を発信する処理を行う。
この際、上記利用有無情報は、ユーザＣが保険対象物２に入出した動作をそれぞれ検知するセンサ（図示せず）により発信されるものとすることができる。そして、このセンサとしては、たとえば、保険対象物２に具備された扉の錠前の施錠又は開錠を判別するものであったり、保険対象物２に具備された扉を開閉する鍵を保持するホルダーでの鍵の有無を判別するものであったり、保険対象物２に具備された照明の点灯又は消灯を判別するものであったり、さらに、保険対象物２で使用された電気量が所定値を超えたか否かを、いわゆる電気メータより判別するものであったりすることができる。
これにより、ユーザは意識しなくても、通常の動作によって保険対象物２の利用開始又は利用終了を確認することができる。したがって、事前に利用開始又は利用終了を所定の機関へ連絡するといった煩わしい手間が必要ないと共に、該連絡をし忘れてしまうといった不注意を引き起こす心配も一切無い。
【００２８】
利用情報送信部２２は、上記利用状況検知部２１より発信された利用有無情報を、通信ネットワークを介して保険契約管理装置３へ通知する処理を行う。
したがって、利用確認装置２０と保険契約管理装置３は、図示しない専用線、公衆交換電話網（ＰＳＴＮ）、無線電話網、ＣＡＴＶ網、衛星通信網等の通信回線を介して通信ネットワークと接続している。
【００２９】
また、上記利用有無情報は、保険対象物２に、たとえば時刻を計時する手段と、当該保険対象物２を識別する情報を記憶する手段と、時刻情報と保険対象物２の識別情報に基づいて利用情報を生成する手段と、この利用情報をコード化して認識可能に出力する手段と、を少なくとも有する利用コード情報出力装置を具備し、この利用コード情報出力装置によって表示された、利用状況確認時の時刻情報と、保険対象物２の識別情報（ＩＤ）を含むコード情報としても良い。なお、この場合のコード情報は、たとえばカメラ付き携帯電話機といった撮影手段を有する通信機能付端末より、当該コード情報を撮影し、これを保険契約管理装置３へ通知する。
【００３０】
さらに、保険契約管理装置３は、時限保険契約プログラム(ソフトウェア)を実行することで保険の契約状況を管理する装置として機能することができるものであって、たとえば具体的に編集者等が日常使用しているパーソナルコンピュータが挙げられる。
この保険契約管理装置３は、図２に示すように、たとえば保険契約情報受信部３１と、利用情報受信部３２と、保険契約情報記憶部３３と、利用時刻特定部３４と、保険料算出部３５と、保険料情報送信部３６と、保証変更実行部３７と、計時部３８とから構成される。
【００３１】
保険契約情報受信部３１は、通信ネットワークを介して管理者端末１から送られてきた保険契約情報を受信する。受信した保険契約情報は、後述する保険契約情報記憶部３３へ送られ記憶する。
利用情報受信部３２は、通信ネットワークを介して利用確認装置２０から送られてきた利用有無情報を受信し、当該利用有無情報を、後述する利用時刻特定部３４へ送る処理を行う。
保険契約情報記憶部３３は、上記保険契約情報受信部３１で受信した保険契約情報を記憶する。また、保険契約情報記憶部３３は、上記利用情報受信部３２で受信し、後述する利用時刻特定部３４で特定された上記保険対象物２の利用開始時刻又は利用終了時刻を、上記保険契約情報と関連付けて記憶する。
したがって、保険契約情報記憶部３３に記憶されている情報は、たとえば、保険契約者である管理者識別情報（ＩＤ）をインデックスとして、当該保険対象物２の識別情報（ＩＤ）やユーザの識別情報（ＩＤ）、利用予定期間情報、上記保険対象物２の利用開始時刻情報や利用終了時刻情報などを１レコードとするデータベースを構成している。
【００３２】
利用時刻特定部３４は、上記利用情報受信部３２での利用有無情報の受信に応じ、保険対象物２の利用開始時刻又は利用終了時刻を特定する処理を行う。特定された利用開始時刻情報又は利用終了時刻情報は、上記保険契約情報記憶部３３へ送られ記憶される。
保険料算出部３５は、利用開始時刻情報と利用終了時刻情報に基づき保険対象物の利用時間を計算し、この保険対象物の利用時間から保証に要する保険料を算出する処理を行う。  
保険料情報送信部３６は、上記保険料算出部３５で算出された保険料情報を、通信ネットワークを介して管理者端末１へ送信する処理を行う。
【００３３】
保証変更実行部３７は、利用情報受信部３２での利用有無情報の受信に応じ、上記保険契約情報記憶部３３を参照して変更保険の有無に基づき適用保険の種類を変更して保証を実行する処理を行う。  
計時部３８は、時間を計時するクロック手段であり、利用時刻特定部３４からの問い合わせに応じ、利用情報受信部３２で受信した利用有無情報の受信時の現在時刻を測定する処理を行う。測定された時刻情報は、上記利用時刻特定部３４へ送られる。
【００３４】
また、保険契約管理装置３は、図示しないが、ＣＰＵ（中央処理装置）とプログラム記憶部、及び操作部、表示部を有する。ＣＰＵは、プログラム記憶部に記憶されたプログラムに従い、本保険契約管理装置３の各構成要素を統制制御し、プログラム処理を実行する。プログラム記憶部は、ＲＯＭ（Read Only Memory）やＲＡＭ（Random Access Memory）等で構成され、当該保険契約管理装置３が使用する各種プログラムを記憶している。ＲＡＭは、保険契約情報記憶部３３に記憶された複数の画像情報を受け付ける処理などを施す際に、バッファメモリとして機能するようにしても良い。
【００３５】
操作部は、使用者等が要求する出力情報の条件を指定するものである。具体的には使用者等が操作するキーボード、マウスその他の入力系デバイスがこれに相当する。操作部によって指定した条件により、保険契約管理装置３に保存されている保険契約情報が読み出され、表示部にこれを表示する。
表示部は、指定された上記保険契約情報を表示する処理を行なう。具体的にはディスプレイ装置がこれに相当する。
なお、本実施形態における前記データベースは、保険契約管理装置３に搭載されたハードディスクなどの外部記憶装置上に実現される。
【００３６】
次に、図１及び図２に示した時限保険契約システムにより実行される方法の一例を、図３に基づき説明する。図３は、以上のように構成された本発明の実施の形態に係る時限保険契約システムにおいて、一時的に保険に加入する場合の処理の流れを示すシーケンス図であり、ホテルで部屋を利用する場合を例として説明する。
本実施形態の時限保険契約システムでは、図３に示すように、まず、ホテルにおいて部屋の利用を希望するユーザＣが、保険対象物２であるホテルの部屋（以下、符号２で示す。）を管理するフロントに対して部屋２の利用を申し込み、これに伴って当該部屋２で生じる虞のある事故や災害に備えて保険加入の依頼を行う（（Ａ）参照）。
【００３７】
次いで、フロントでは、ユーザＣからの部屋２の利用希望に伴う保険加入依頼に応じて、管理者端末１より、少なくとも部屋２の識別情報（１Ｄ）及び利用予定期間といった保険適用に関する保険契約情報の入力を行う（（１）参照）。
管理者端末１では、受け付けた上記保険契約情報を、ネットワークを通じて通信可能に接続された保険契約管理装置３へ送信する（（２）参照）。
なお、上記部屋２での事故や災害に対する保証を行う保険会社は、予め管理者であるホテルと保険契約を結んでおり、上記保険会社と連絡可能に設置されている保険契約管理装置３には、上記ホテルの名称や識別情報（管理者ＩＤ）、住所、部屋毎の識別情報（保険対象物ＩＤ）、電話番号、ファクシミリ番号、電子メールアドレスといった管理者情報が記憶され、管理者データベース（ＤＢ）が生成されている。
【００３８】
保険契約管理装置３は、管理者端末１より送られた上記保険契約情報を受け付ける（（３）参照）。
受け付けた上記保険契約情報は、当該保険契約情報に含まれるホテルの識別情報（管理者ＩＤ）及び利用する部屋２の識別情報（保険対象物ＩＤ）に基づき、保険契約情報データベース（ＤＢ）に記憶する（（４）参照）。
これによって、保険契約管理装置３では、いつでも実際の利用状況に応じた保証が可能な待機状態にとなる。
【００３９】
そして、ユーザＣが、所定の部屋２へ入室し、利用を開始する（（Ｂ）参照）。
そうすると、当該部屋２に設置された利用確認装置２０が、ユーザＣの利用開始動作を検知する（（５）参照）。この際、ユーザＣの利用開始動作としては、たとえば当該部屋２へ入室するために扉の錠前へ鍵（カード型キーを含む）を挿入して開錠することや、当該部屋２の扉を開錠して入室した後、鍵を所定のホルダーへ挿入して保持すること、当該部屋２の照明を点灯させるために照明スイッチをＯＮ状態とすること、当該部屋２の電気消費量を測定する電気メータの回転盤の回転速度が所定値を超える程度に、照明やテレビ、冷蔵庫といった電化製品を利用すること等が挙げられる。
【００４０】
次に、利用確認装置２０は、ユーザＣの利用開始動作を検知すると、当該部屋２の識別情報（保険対象物ＩＤ）及び時刻情報を含む利用有情報を発信する（（６）参照）。
次いで、利用確認装置２０では、上記利用有情報を、ネットワークを通じて通信可能に接続された保険契約管理装置３へ送信する（（７）参照）。
【００４１】
保険契約管理装置３は、利用確認装置２０より送られた上記利用有情報を受け付ける（（８）参照）。
引き続き、保険契約管理装置３は、受け付けた上記利用有情報に含まれる所定の部屋２の識別情報（保険対象物ＩＤ）及び時刻情報に基づいて、利用された部屋２を特定すると共に、当該部屋２の利用が実際に開始した利用開始時刻を特定する（（９）参照）。
そして、保険契約管理装置３は、上記利用開始時刻情報を、特定された部屋２の識別情報（保険対象物ＩＤ）基づき、上記保険契約情報と関連付けて保険契約情報データベース（ＤＢ）に記憶する（（１０）参照）。
これにより、所定の部屋２に対する保証が開始される。
【００４２】
上記利用開始時刻情報を、上記保険契約情報と関連付けて記憶する保険契約情報データベース（ＤＢ）としては、たとえば図４に示すような保険契約情報データベース（ＤＢ）１０が考えられる。この保険契約情報データベース（ＤＢ）１０には、管理者端末１を利用する管理者を識別する管理者ＩＤ、保険を適用する部屋２を識別する保険対象物ＩＤ、当該部屋２を利用するユーザを識別するユーザＩＤ、利用予定期間としての利用始予定時間及び利用終予定時間、当該部屋２に適用される基本保険の種類、当該基本保険に追加して上記部屋２に適用される追加保険の種類、上記部屋２の利用状況に応じて上記基本保険及び追加保険に代わって適用される変更保険、上記部屋２の実際の利用始時刻及び利用終時刻、現在適用されている保険の種類を示す適用保険等が記憶できるようになっている。
【００４３】
図示された保険契約情報データベース（ＤＢ）１０には、ユーザＩＤがＣ００１であるユーザが、管理者ＩＤがＡ０００１のホテルにて保険対象ＩＤが０００１の部屋を、２００５年１０月８日１８時００分から２００５年１０月９日７時３０分までを利用予定期間として、基本保険を火災保険、追加保険を（対物）損害保険、変更保険なしの条件で利用申込みし、実際に２００５年１０月８日１８時０５分から２００５年１０月９日７時３０分まで利用して既に精算を済ませ、現在は適用する保険が無い状態が示されている。
また、当該保険契約情報データベース（ＤＢ）１０には、ユーザＩＤがＣ００２であるユーザが、管理者ＩＤがＡ０００１のホテルにて保険対象ＩＤが０００２の部屋を、２００５年１０月９日１５時００分から２００５年１０月１０日９時００分までを利用予定期間として、基本保険を火災保険、追加保険を（対物）損害保険、変更保険なしの条件で利用申込みし、実際に２００５年１０月９日１５時１０分から利用しており、現在も利用中で、適用する保険が火災保険と（対物）損害保険である状態が示されている。
さらに、該保険契約情報データベース（ＤＢ）１０には、ユーザＩＤがＣ００３であるユーザが、管理者ＩＤがＡ０００１のホテルにて保険対象ＩＤが０００３の部屋を、２００５年１０月９日１６時３０分から２００５年１０月１１日８時３０分までを利用予定期間として、基本保険を火災保険、追加保険を（対物）損害保険、変更保険を盗難保険の条件で利用申込みし、実際に２００５年１０月９日１６時１０分から２００５年１０月１０日８時２５分まで利用し、一時退室して、現在も利用中で、一時退室中に適用する保険が盗難保険である状態が示されている。
【００４４】
したがって、保険対象物ＩＤが分かれば、実際に利用した時刻情報を記憶することができるし、記憶された時刻情報に基づいて当該部屋２の利用時間や、保証に要する保険料の算出、及び現在適用されている保険の状態（保険の有無とその種類）が特定できる。
【００４５】
次いで、当該部屋２に設置された利用確認装置２０がユーザＣの利用終了動作が検知する（（１１）参照）。この際、ユーザＣの利用終了始動作としては、たとえば当該部屋２から退室し、扉の錠前へ鍵（カード型キーを含む）を挿入して施錠することや、当該部屋２の鍵を保持する所定のホルダーから当該鍵を抜き取ること、当該部屋２の照明を消灯させるために照明スイッチをＯＦＦ状態にすること、当該部屋２の電気消費量を測定する電気メータの回転盤の回転速度が所定値まで下がるように、照明やテレビ、冷蔵庫といった電化製品の利用を停止すること等が挙げられる。
そして、ユーザＣは、所定の部屋２から退出し、利用を終了する（（Ｃ）参照）。
【００４６】
次に、利用確認装置２０は、ユーザＣの利用終了動作を検知すると、利用無情報を発信する（（１２）参照）。
次いで、利用確認装置２０では、上記利用無情報を、ネットワークを通じて通信可能に接続された保険契約管理装置３へ送信する（（１３）参照）。
【００４７】
保険契約管理装置３は、利用確認装置２０より送られた上記利用無情報を受け付ける（（１４）参照）。
引き続き、保険契約管理装置３は、受け付けた上記利用無情報に含まれる所定の部屋２の識別情報（保険対象物ＩＤ）及び時刻情報に基づいて、利用が終了した部屋２を特定すると共に、当該部屋２の利用が実際に終了した利用終了時刻を特定する（（１５）参照）。
そして、保険契約管理装置３は、上記利用終了時刻情報を、特定された部屋２の識別情報（保険対象物ＩＤ）に基づき、上記保険契約情報と関連付けて保険契約情報データベース（ＤＢ）に記憶する（（１６）参照）。
これにより、所定の部屋２に対する保証は終了する。
【００４８】
また、保険契約管理装置３は、上記利用開始時刻情報と上記利用終了時刻情報に基づき当該部屋２の実際の利用時間を計算し、さらにこの利用時間から保証に要する保険料を算出する（（１７）参照）。
その後、保険契約管理装置３は、算出された当該部屋２の保険料情報を、上記部屋２の識別情報（保険対象物ＩＤ）に基づき上記保険契約情報データベース（ＤＢ）を参照して該当するホテルの識別番号（管理者ＩＤ）を特定し、さらに、当該管理者の識別番号（管理者ＩＤ）に基づき上記ホテルに設置された管理者端末１へ送信する（（１８）参照）。
【００４９】
管理者端末１では、保険契約管理装置３より送信された上記保険料情報を受信する（（１９）参照）。
そして、管理者端末１は、受信した上記保険料情報を表示し、上記ホテルのフロントでは、ユーザＣに対して実際に部屋２を利用した時間に応じた保険料を請求し、精算を行う（（２０）参照）。なお、保険料の精算は、ユーザＣからの部屋２の利用申込み（チェックイン）時に前もって利用予定期間全体に応じた保険料を徴収し、当該部屋２の利用終了（チェックアウト）時に上記保険料情報に基づいて行うようにしても良い。
【００５０】
以上によって、保険契約を結んでいないユーザでも所定の期間だけ上記管理者の保険対象物を利用するこがを可能となり、また、当該保険対象物の実際の利用に即した適切な費用負担で事故や災害が生じた場合にその補償を受けることができる。
【００５１】
次に、上述の時限保険契約システムにおける保険契約管理装置３の動作の一例を、図５及び６を参照して説明する。
図５は、保険契約管理装置３のプログラム記憶部に記憶されているプログラムが実行する処理の流れを一部示したフローチャートであり、図６は、これに続く処理の流れを示したフローチャートである。
まず、保険契約情報受信部３１が、少なくともこれから利用される部屋２の識別情報及び利用予定期間といった保険適用に関する保険契約情報を受け付けたか否か判断する（Ｓ１１）。
その結果、保険契約情報受信部３１が保険契約情報を受け付けた場合（Ｙ）は、保険契約情報受信部３１は、受け付けた保険契約情報を保険契約情報記憶部３３に記憶する（Ｓ１２）。
【００５２】
引き続き、上記保険契約情報の保険契約情報記憶部３３への記憶後、利用情報受信部３２が、上記部屋２の利用開始に伴う動作を検知することによって発信された、当該部屋２の識別情報（保険対象物ＩＤ）及び時刻情報を含む利用有情報を受け付けたか否か判断する（Ｓ１３）。
一方、保険契約情報受信部３１が保険契約情報を受け付けていない場合（Ｎ）も、利用情報受信部３２が、上記保険対象物２の利用開始に伴う動作を検知することによって発信された利用有情報を受け付けたか否か判断する（Ｓ１３）。
【００５３】
その結果、利用情報受信部３２が利用有情報を受け付けた場合（Ｙ）は、さらに利用情報受信部３２が、利用有情報に含まれる部屋２の識別情報（保険対象物ＩＤ）に基づき保険契約情報記憶部３３を参照し、当該利用有情報が利用予定期間内に受け付けたのもの否か判断する（Ｓ１４）。
一方、利用情報受信部３２が利用有情報を受け付けていない場合（Ｎ）は、引き続き利用情報受信部３２が、上記保険対象物２の利用終了に伴う動作を検知することによって発信された利用無情報を受け付けたか否か判断する（Ｓ１９）。
【００５４】
そして、当該利用有情報が利用予定期間内に受け付けたものである場合（Ｙ）は、利用時刻特定部３４が、利用有情報に含まれる部屋２の利用開始時刻情報に基づき実際の利用始時刻を特定する（Ｓ１５）。なお、利用有情報に部屋２の利用開始時刻情報が含まれていない場合は、時刻特定部３４が計時部３８へ問い合わせ、測定した現在時刻を利用開始時刻情報として用いる。
一方、当該利用有情報が利用予定期間内に受け付けたものでない場合（Ｎ）は、再度、保険契約情報受信部３１が、少なくともこれから利用される部屋２の識別情報及び利用予定期間といった保険適用に関する保険契約情報を受け付けたか否か判断を繰り返す（Ｓ１１）。
【００５５】
次いで、利用時刻特定部３４は、特定した利用始時刻情報を上記保険契約情報と関連付けて保険契約情報記憶部３３に記憶する（Ｓ１６）。
次に、保証変更実行部３７が、上記利用有情報に含まれる部屋２の識別情報（保険対象物ＩＤ）に基づき保険契約情報記憶部３３を参照し、適用保険情報に基づき当該部屋２が保証中であるか否か判断する（Ｓ１７）。
【００５６】
その結果、当該部屋２が保証中である場合（Ｙ）は、引き続き、利用情報受信部３２が、上記保険対象物２の利用終了に伴う動作を検知することによって発信された利用無情報を受け付けたか否か判断する（Ｓ１９）。
一方、当該部屋２が保証中でない場合（Ｎ）は、新規な利用と判断して、保証変更実行部３７は、上記保険契約情報記憶部３３に記憶される基本保険情報及び追加保険情報に基づき当該部屋２の保証を開始する（Ｓ１８）。
その後、利用情報受信部３２が、上記保険対象物２の利用終了に伴う動作を検知することによって発信された利用無情報を受け付けたか否か判断する（Ｓ１９）。
【００５７】
その結果、利用情報受信部３２が利用無情報を受け付けた場合（Ｙ）は、利用時刻特定部３４が、利用無情報に含まれる部屋２の利用終了時刻情報に基づき実際の利用終時刻を特定する（Ｓ２０）。なお、利用無情報に部屋２の利用終了時刻情報が含まれていない場合は、時刻特定部３４が計時部３８へ問い合わせ、測定した現在時刻を利用終了時刻情報として用いる。
一方、利用情報受信部３２が利用無情報を受け付けていない場合（Ｎ）は、引き続き利用情報受信部３２が、利用無情報に含まれる部屋２の識別情報（保険対象物ＩＤ）に基づき保険契約情報記憶部３３を参照し、利用予定期間を経過したか否か判断する（Ｓ２５）。
そして、利用時刻特定部３４は、特定した利用終時刻情報を上記保険契約情報と関連付けて保険契約情報記憶部３３に記憶する（Ｓ２１）。
【００５８】
次いで、保険料算出部３５が、保険契約情報記憶部３３を参照して上記利用開始時刻と上記利用終了時刻に基づき部屋２の利用時間を計算する（Ｓ２２）。
引き続き、保険料算出部３５は、保険料を算出するための各項目や条件、単価等が予め記憶された図示しない保険料記憶部を参照し、計算した部屋２の利用時間から保証に要する保険料を算出する（Ｓ２３）。
その後、保険料情報送信部３６が、保険料を算出した部屋２の識別情報（保険対象物ＩＤ）に基づき、予め管理者の連絡先を含めた管理者情報が記憶された図示しない管理者データベース（ＤＢ）を参照し、算出した保険料情報を管理者端末１へ送信する（Ｓ２４）。
【００５９】
次に、利用情報受信部３２が、利用無情報に含まれる部屋２の識別情報（保険対象物ＩＤ）に基づき保険契約情報記憶部３３を参照し、利用予定期間を経過したか否か判断する（Ｓ２５）。
その結果、利用予定期間を経過している場合（Ｙ）、保証変更実行部３７は、当該部屋２の保証を終了する（Ｓ２６）。
一方、未だ利用予定期間を経過していない場合（Ｎ）は、再度、保険契約情報受信部３１が、少なくともこれから利用される部屋２の識別情報及び利用予定期間といった保険適用に関する保険契約情報を受け付けたか否か判断を繰り返す（Ｓ１１）。
これにより保険契約管理装置３での一連の処理が終了（エンド）する。
【００６０】
これにより、部屋２の実際の利用状況に応じた課金を行い、適切な費用負担で事故や災害が生じた場合にその補償を受けることができるものとなる。
【００６１】
また、本実施形態の時限保険契約システムでは、一時的に加入する保険の種類を変更することもできる。その一例を、図７及び８に基づき説明する。図７は、以上のように構成された本発明の実施の形態に係る時限保険契約システムにおいて、一時的に加入する保険の種類を変更する場合の処理の流れを示すシーケンス図であり、図８は、図７に示す処理の流れの続きを示すシーケンス図である。本実施形態においても、ホテルで部屋を利用する場合を例として説明する。
本実施形態では、図７に示すように、まず、ホテルにおいて部屋の利用を希望するユーザＣが、保険対象物２であるホテルの部屋（以下、符号２で示す。）を管理するフロントに対して部屋２の利用を申し込み、これに伴って当該部屋２で生じる虞のある事故や災害に備えて保険加入の依頼を行う（（Ａ）参照）。
【００６２】
次いで、フロントでは、ユーザＣからの部屋２の利用希望に伴う保険加入依頼に応じて、管理者端末１より、少なくとも部屋２の識別情報（１Ｄ）及び利用予定期間といった保険適用に関する保険契約情報の入力を行う（（３１）参照）。
管理者端末１では、受け付けた上記保険契約情報を、ネットワークを通じて通信可能に接続された保険契約管理装置３へ送信する（（３２）参照）。
【００６３】
保険契約管理装置３は、管理者端末１より送られた上記保険契約情報を受け付ける（（３３）参照）。
受け付けた上記保険契約情報は、当該保険契約情報に含まれるホテルの識別情報（管理者ＩＤ）及び利用する部屋２の識別情報（保険対象物ＩＤ）に基づき、保険契約情報データベース（ＤＢ）に記憶する（（３４）参照）。
これによって、保険契約管理装置３では、いつでも実際の利用状況に応じた保証が可能な待機状態にとなる。
【００６４】
そして、ユーザＣが、所定の部屋２へ入室し、利用を開始する（（Ｂ）参照）。
そうすると、当該部屋２に設置された利用確認装置２０が、ユーザＣの利用開始動作を検知する（（３５）参照）。
次に、利用確認装置２０は、ユーザＣの利用開始動作を検知すると、当該部屋２の識別情報（保険対象物ＩＤ）及び時刻情報を含む利用有情報を発信する（（６）参照）。
次いで、利用確認装置２０では、上記利用有情報を、ネットワークを通じて通信可能に接続された保険契約管理装置３へ送信する（（３７）参照）。
【００６５】
保険契約管理装置３は、利用確認装置２０より送られた上記利用有情報を受け付ける（（３８）参照）。
引き続き、保険契約管理装置３は、受け付けた上記利用有情報に含まれる所定の部屋２の識別情報（保険対象物ＩＤ）及び時刻情報に基づいて、利用された部屋２を特定すると共に、当該部屋２の利用が実際に開始した利用開始時刻を特定する（（３９）参照）。
そして、保険契約管理装置３は、上記利用開始時刻情報を、特定された部屋２の識別情報（保険対象物ＩＤ）に基づき、上記保険契約情報と関連付けて保険契約情報データベース（ＤＢ）に記憶する（（４０）参照）。
これにより、所定の部屋２に対する保証が開始される。
【００６６】
次いで、当該部屋２に設置された利用確認装置２０がユーザＣの利用終了動作が検知する（（４１）参照）。
そして、ユーザＣは、所定の部屋２から一時退出し、利用を終了する（（Ｃ）参照）。
次に、利用確認装置２０は、ユーザＣの利用終了動作を検知すると、利用無情報を発信する（（４２）参照）。
次いで、利用確認装置２０では、上記利用無情報を、ネットワークを通じて通信可能に接続された保険契約管理装置３へ送信する（（４３）参照）。
【００６７】
保険契約管理装置３は、利用確認装置２０より送られた上記利用無情報を受け付ける（（４４）参照）。
引き続き、保険契約管理装置３は、受け付けた上記利用無情報に含まれる所定の部屋２の識別情報（保険対象物ＩＤ）及び時刻情報に基づいて、利用が終了した部屋２を特定すると共に、当該部屋２の利用が実際に終了した利用終了時刻を特定する（（４５）参照）。
そして、保険契約管理装置３は、上記利用終了時刻情報を、特定された部屋２の識別情報（保険対象物ＩＤ）に基づき、上記保険契約情報と関連付けて保険契約情報データベース（ＤＢ）に記憶する（（４６）参照）。
【００６８】
また、保険契約管理装置３は、保険契約情報データベース（ＤＢ）を参照して保証の終了か変更かを確認し、保証の終了でない場合に、保険契約情報データベース（ＤＢ）に記憶された変更保険情報に基づいて適用保険の種類変更を行う（（４７）参照）。
この際、保証の終了か変更かの確認は、たとえば保険契約情報データベース（ＤＢ）に記憶されている利用予定期間と、保険料の精算が行われたか否かにより行うことができる。すなわち、上記利用終了時刻情報の受け付けに応じて、保険契約情報データベース（ＤＢ）に記憶されている利用予定期間情報を確認し、利用予定期間情報の範囲外であれば保証の終了と判断する。一方、利用予定期間情報の範囲内である場合は、さらに、管理者端末１より受け付けた精算済情報が保険契約情報データベース（ＤＢ）に記憶されているか否かに判断し、精算済情報を有する場合は保証の終了と判断し、精算済情報がない場合は利用継続中と判断し、保証の変更を行う。
これにより、所定の部屋２に対する保証は継続されている。
【００６９】
次いで、ユーザＣが、所定の部屋２へ再度入室し、利用を再開する（（Ｄ）参照）。
そうすると、当該部屋２に設置された利用確認装置２０が、ユーザＣの利用開始動作を検知する（（４８）参照）。
次に、利用確認装置２０は、ユーザＣの利用開始動作を検知すると、当該部屋２の識別情報（保険対象物ＩＤ）及び時刻情報を含む利用有情報を発信する（（４９）参照）。
次いで、利用確認装置２０では、上記利用有情報を、ネットワークを通じて通信可能に接続された保険契約管理装置３へ送信する（（５０）参照）。
【００７０】
保険契約管理装置３は、図８に示すように、利用確認装置２０より送られた上記利用有情報を受け付ける（（５１）参照）。
引き続き、保険契約管理装置３は、受け付けた上記利用有情報に含まれる所定の部屋２の識別情報（保険対象物ＩＤ）及び時刻情報に基づいて、利用された部屋２を特定すると共に、当該部屋２の利用が実際に開始した利用開始時刻を特定する（（５２）参照）。
そして、保険契約管理装置３は、上記利用開始時刻情報を、特定された部屋２の識別情報（保険対象物ＩＤ）基づき、上記保険契約情報と関連付けて保険契約情報データベース（ＤＢ）に記憶する（（５３）参照）。
また、保険契約管理装置３は、保険契約情報データベース（ＤＢ）を参照して適用保険の種類変更を行う（（５４）参照）。
【００７１】
次いで、当該部屋２に設置された利用確認装置２０がユーザＣの利用終了動作が検知する（（５５）参照）。
そして、ユーザＣは、所定の部屋２から退出し、利用を終了する（（Ｅ）参照）。
次に、利用確認装置２０は、ユーザＣの利用終了動作を検知すると、利用無情報を発信する（（５６）参照）。
次いで、利用確認装置２０では、上記利用無情報を、ネットワークを通じて通信可能に接続された保険契約管理装置３へ送信する（（５７）参照）。
【００７２】
保険契約管理装置３は、利用確認装置２０より送られた上記利用無情報を受け付ける（（５８）参照）。
引き続き、保険契約管理装置３は、受け付けた上記利用無情報に含まれる所定の部屋２の識別情報（保険対象物ＩＤ）及び時刻情報に基づいて、利用が終了した部屋２を特定すると共に、当該部屋２の利用が実際に終了した利用終了時刻を特定する（（５９）参照）。
そして、保険契約管理装置３は、上記利用終了時刻情報を、特定された部屋２の識別情報（保険対象物ＩＤ）基づき、上記保険契約情報と関連付けて保険契約情報データベース（ＤＢ）に記憶する（（６０）参照）。
これにより、所定の部屋２に対する保証は終了する。
【００７３】
また、保険契約管理装置３は、上記利用開始時刻情報と上記利用終了時刻情報に基づき当該部屋２の実際の利用時間を計算し、さらにこの利用時間から保証に要する保険料を算出する（（６１）参照）。
その後、保険契約管理装置３は、算出された当該部屋２の保険料情報を、上記部屋２の識別情報（保険対象物ＩＤ）に基づき上記保険契約情報データベース（ＤＢ）を参照して該当するホテルの識別番号（管理者ＩＤ）を特定し、さらに、当該管理者の識別番号（管理者ＩＤ）に基づき上記ホテルに設置された管理者端末１へ送信する（（６２）参照）。
【００７４】
管理者端末１では、保険契約管理装置３より送信された上記保険料情報を受信する（（６３）参照）。
そして、管理者端末１は、受信した上記保険料情報を表示し、上記ホテルのフロントでは、ユーザＣに対して実際に部屋２を利用した時間に応じた保険料を請求し、精算を行う（（６４）参照）。
【００７５】
以上によって、保険契約を結んでいないユーザでも所定の期間だけ上記管理者の保険対象物を利用することを可能となり、また、当該保険対象物の実際の利用に即した適切な費用負担で事故や災害が生じた場合にその補償を受けることができると共に、さらに、保険対象物の実際の利用状況に応じて、適用する保険の種類や内容の変更を行うことも可能となる。
【００７６】
次に、上述の実施形態における保険契約管理装置３の動作の一例を、図９及び１０を参照して説明する。
図９は、保険契約管理装置３のプログラム記憶部に記憶されているプログラムが実行する第二例の処理の流れを一部示したフローチャートであり、図１０は、これに続く処理の流れを示したフローチャートである。なお、本実施形態の第二例の処理においては、上記第一例と同様の動作部分の説明は省略するものとする。
まず、保険契約情報受信部３１が、少なくともこれから利用される部屋２の識別情報及び利用予定期間といった保険適用に関する保険契約情報を受け付けたか否か判断する（Ｓ３１）。
その結果、保険契約情報受信部３１が保険契約情報を受け付けた場合（Ｙ）は、保険契約情報受信部３１は、受け付けた保険契約情報を保険契約情報記憶部３３に記憶する（Ｓ３２）。
【００７７】
引き続き、上記保険契約情報の保険契約情報記憶部３３への記憶後、利用情報受信部３２が、上記部屋２の利用開始に伴う動作を検知することによって発信された、当該部屋２の識別情報（保険対象物ＩＤ）及び時刻情報を含む利用有情報を受け付けたか否か判断する（Ｓ３３）。
一方、保険契約情報受信部３１が保険契約情報を受け付けていない場合（Ｎ）も、利用情報受信部３２が、上記保険対象物２の利用開始に伴う動作を検知することによって発信された利用有情報を受け付けたか否か判断する（Ｓ３３）。
【００７８】
その結果、利用情報受信部３２が利用有情報を受け付けた場合（Ｙ）は、さらに利用情報受信部３２が、利用有情報に含まれる部屋２の識別情報（保険対象物ＩＤ）に基づき保険契約情報記憶部３３を参照し、当該利用有情報が利用予定期間内に受け付けたのもの否か判断する（Ｓ３４）。
一方、利用情報受信部３２が利用有情報を受け付けていない場合（Ｎ）は、引き続き利用情報受信部３２が、上記保険対象物２の利用終了に伴う動作を検知することによって発信された利用無情報を受け付けたか否か判断する（Ｓ４１）。
【００７９】
そして、当該利用有情報が利用予定期間内に受け付けたものである場合（Ｙ）は、利用時刻特定部３４が、利用有情報に含まれる部屋２の利用開始時刻情報に基づき実際の利用始時刻を特定する（Ｓ３５）。
一方、当該利用有情報が利用予定期間内に受け付けたものでない場合（Ｎ）は、再度、保険契約情報受信部３１が、少なくともこれから利用される部屋２の識別情報及び利用予定期間といった保険適用に関する保険契約情報を受け付けたか否か判断を繰り返す（Ｓ３１）。
【００８０】
次いで、利用時刻特定部３４は、特定した利用始時刻情報を上記保険契約情報と関連付けて保険契約情報記憶部３３に記憶する（Ｓ３６）。
次に、保証変更実行部３７が、上記利用有情報に含まれる部屋２の識別情報（保険対象物ＩＤ）に基づき保険契約情報記憶部３３を参照し、適用保険情報に基づき当該部屋２が保証中であるか否か判断する（Ｓ３７）。
【００８１】
その結果、当該部屋２が保証中である場合（Ｙ）は、引き続き、利用情報受信部３２が、上記保険契約情報記憶部３３を参照し、適用保険情報の変更希望を有するか否か判断する（Ｓ３９）。この適用保険情報の変更希望を有するか否かの判断は、たとえば保険契約情報記憶部３３に変更保険情報を有するか否かによって行うことができる。
一方、当該部屋２が保証中でない場合（Ｎ）は、新規な利用と判断して、保証変更実行部３７は、上記保険契約情報記憶部３３に記憶される基本保険情報及び追加保険情報に基づき当該部屋２の保証を開始する（Ｓ３８）。
その後、利用情報受信部３２が、上記保険対象物２の利用終了に伴う動作を検知することによって発信された利用無情報を受け付けたか否か判断する（Ｓ４１）。
【００８２】
また、適用保険情報の変更希望を有するか否か判断した結果、変更希望を有する場合（Ｙ）は、保証変更実行部３７が、上記利用有情報に含まれる部屋２の識別情報（保険対象物ＩＤ）に基づき保険契約情報記憶部３３を参照し、変更保険情報に基づき当該部屋２の保険の種類を変更して保証を開始する（Ｓ４０）。
一方、変更希望が無い（Ｎ）は、そのまま保証を継続し、その後、利用情報受信部３２が、上記保険対象物２の利用終了に伴う動作を検知することによって発信された利用無情報を受け付けたか否か判断する（Ｓ４１）。
【００８３】
その結果、利用情報受信部３２が利用無情報を受け付けた場合（Ｙ）は、利用時刻特定部３４が、利用無情報に含まれる部屋２の利用終了時刻情報に基づき実際の利用終時刻を特定する（Ｓ４２）。
一方、利用情報受信部３２が利用無情報を受け付けていない場合（Ｎ）は、引き続き利用情報受信部３２が、利用無情報に含まれる部屋２の識別情報（保険対象物ＩＤ）に基づき保険契約情報記憶部３３を参照し、利用予定期間を経過したか否か判断する（Ｓ４９）。
そして、利用時刻特定部３４は、特定した利用終時刻情報を上記保険契約情報と関連付けて保険契約情報記憶部３３に記憶する（Ｓ４３）。
【００８４】
次いで、利用情報受信部３２が、上記保険契約情報記憶部３３を参照し、適用保険情報の変更希望を有するか否か判断する（Ｓ４４）。
その結果、変更希望を有する場合（Ｙ）は、保証変更実行部３７が、上記利用有情報に含まれる部屋２の識別情報（保険対象物ＩＤ）に基づき保険契約情報記憶部３３を参照し、変更保険情報に基づき当該部屋２の保険の種類を変更して保証を開始する（Ｓ４５）。
一方、変更希望が無い（Ｎ）は、そのまま保証を終了し、その後、保険料算出部３５が、保険契約情報記憶部３３を参照して上記利用開始時刻と上記利用終了時刻に基づき部屋２の利用時間を計算する（Ｓ４６）。
また、当該部屋２の適用保険の種類変更がなされたら、引き続き保険料算出部３５が、保険契約情報記憶部３３を参照して上記利用開始時刻と上記利用終了時刻に基づき部屋２の利用時間を計算する（Ｓ４６）。
【００８５】
そして、保険料算出部３５は、保険料を算出するための各項目や条件、単価等が予め記憶された図示しない保険料記憶部を参照し、計算した部屋２の利用時間から保証に要する保険料を算出する（Ｓ４７）。
その後、保険料情報送信部３６が、保険料を算出した部屋２の識別情報（保険対象物ＩＤ）に基づき、予め管理者の連絡先を含めた管理者情報が記憶された図示しない管理者データベース（ＤＢ）を参照し、算出した保険料情報を管理者端末１へ送信する（Ｓ４８）。
【００８６】
次に、利用情報受信部３２が、利用無情報に含まれる部屋２の識別情報（保険対象物ＩＤ）に基づき保険契約情報記憶部３３を参照し、利用予定期間を経過したか否か判断する（Ｓ４９）。
その結果、利用予定期間を経過している場合（Ｙ）、保証変更実行部３７は、当該部屋２の保証を終了する（Ｓ５０）。
一方、未だ利用予定期間を経過していない場合（Ｎ）は、再度、保険契約情報受信部３１が、少なくともこれから利用される部屋２の識別情報及び利用予定期間といった保険適用に関する保険契約情報を受け付けたか否か判断を繰り返す（Ｓ３１）。
これにより保険契約管理装置３での一連の処理が終了（エンド）する。
【００８７】
これによっても、部屋２の実際の利用状況に応じた課金を行い、適切な費用負担で事故や災害が生じた場合にその補償を受けることができると共に、さらに、保険対象物の実際の利用状況に応じて、適用する保険の種類や内容の変更を行うことが可能なものとなる。
【００８８】
次に、本発明に係る時限保険契約システムによって可能な保険の契約態様を説明する。
保険の契約態様としては、たとえば図１１乃至図１７に示すことができる。図１１乃至図１５は、適用保険の変更希望が無い場合の契約態様を示し、図１６及び図１７は、適用保険の変更希望が有る場合の契約態様を示す。
まず、図１１に示す契約態様は、利用情報受信部３２が受け付けた利用有無情報に基づいて、保険契約情報記憶部３３に記憶される基本保険情報及び追加保険情報に基づき保険対象物２の保証を行うものである。
また、図１２に示す契約態様は、利用情報受信部３２が受け付けた利用有情報に基づいて、保険契約情報記憶部３３に記憶される基本保険情報及び追加保険情報に基づき保険対象物２の保証を開始し、保険契約情報受信部３１が受け付けた利用予定期間としての利用終予定時間に基づき保険対象物２の保証を終了するものである。
【００８９】
また、図１３に示す契約態様は、利用情報受信部３２が受け付けた利用有無情報に基づいて、保険契約情報記憶部３３に記憶される基本保険情報及び追加保険情報に基づき保険対象物２の保証を行うが、途中一時退出した場合であって、一時退出の間の保険の適用をなしとしたものである。
また、図１４に示す契約態様は、利用情報受信部３２が受け付けた利用有無情報に基づいて、保険契約情報記憶部３３に記憶される基本保険情報及び追加保険情報に基づき保険対象物２の保証を行い、途中一時退出する場合であって、その間は継続して保険の適用を行い、在室中はユーザ自ら保険料を負担するが、一時退出中は保険対象物２の管理者側が保険料を負担するものである。
【００９０】
さらに、図１５に示す契約態様は、利用情報受信部３２が受け付けた利用有無情報に基づいて、保険契約情報記憶部３３に記憶される基本保険情報及び追加保険情報に基づき保険対象物２の保証を行い、途中一時退出する場合であって、その間は継続して保険の適用を行い、在室中はユーザが８０％保険料を負担し、管理者側が２０保険料を負担するが、一時退出中はユーザが２０％保険料を負担し、管理者側が８０保険料を負担するものである。
【００９１】
一方、図１６に示す契約態様は、利用情報受信部３２が受け付けた利用有無情報に基づいて、保険契約情報記憶部３３に記憶される基本保険情報及び追加保険情報に基づき保険対象物２の保証を行い、途中一時退出する場合であって、その間は適用する保険の種類を、火災保険及び損害保険から盗難保険に変更するものである。
また、図１６に示す契約態様は、利用情報受信部３２が受け付けた利用有無情報に基づいて、保険契約情報記憶部３３に記憶される基本保険情報及び追加保険情報に基づき保険対象物２の保証を行い、途中一時退出する場合であって、その間に適用する火災保険及び損害保険にさらに盗難保険を加えたものである。
【００９２】
このように、本発明によれば、保険対象物の実際の利用状況がわかるので、当該利用状況に即して保険料の負担先やその割合を決定したり、適用する保険の種類や内容の変更を行ったりして、様々な保険の契約態様を実施することが可能となる。
【図面の簡単な説明】
【００９３】
【図１】本発明に係る時限保険契約システムの実施形態の構成を示す概略図である。
【図２】上記実施形態の構成を示すブロック図である。
【図３】上記実施形態において一時的に保険に加入する場合の処理の流れを示すシーケンス図である。
【図４】本発明に係る時限保険契約システムが備える画像情報データベース構造の一例である。
【図５】上記実施形態に係るシステムにおける保険契約管理装置の動作の第一例を示すフローチャートである。
【図６】［図５］に示す保険契約管理装置の動作の続きを示すフローチャートである。
【図７】上記実施形態において一時的に加入する保険の種類を変更する場合の処理の流れを示すシーケンス図である。
【図８】[図７]に示す処理の流れの続きを示すシーケンス図である。
【図９】上記実施形態に係るシステムにおける保険契約管理装置の動作の第二例を示すフローチャートである。
【図１０】［図９］に示す保険契約管理装置の動作の続きを示すフローチャートである。
【図１１】本発明に係る時限保険契約システムによる第一の保険の契約態様を説明する概略図である。
【図１２】本発明に係る時限保険契約システムによる第二の保険の契約態様を説明する概略図である。
【図１３】本発明に係る時限保険契約システムによる第三の保険の契約態様を説明する概略図である。
【図１４】本発明に係る時限保険契約システムによる第四の保険の契約態様を説明する概略図である。
【図１５】本発明に係る時限保険契約システムによる第五の保険の契約態様を説明する概略図である。
【図１６】本発明に係る時限保険契約システムによる第六の保険の契約態様を説明する概略図である。
【図１７】本発明に係る時限保険契約システムによる第七の保険の契約態様を説明する概略図である。
【符号の説明】
【００９４】
１・・・管理者端末、２・・・保険対象物（ホテルの部屋）、３・・・保険契約管理装置（サーバ）、１０・・・保険契約データベース、１１・・・保険契約情報受付部、１２・・・保険契約情報送信部、１３・・・保険料情報受信部、２０・・・利用確認装置（センサ）、２１・・・利用状況検知部、２２・・・利用情報送信部、３１・・・保険契約情報受信部、３２・・・利用情報受信部、３３・・・保険契約情報記憶部、３４・・・利用時刻特定部、３５・・・保険料算出部、３６・・・保険料情報送信部、３７・・・保証変更実行部、３８・・・計時部。
【図１】
0004504905.tif 000002
【図２】
0004504905.tif 000003
【図３】
0004504905.tif 000004
【図４】
0004504905.tif 000005
【図５】
0004504905.tif 000006
【図６】
0004504905.tif 000007
【図７】
0004504905.tif 000008
【図８】
0004504905.tif 000009
【図９】
0004504905.tif 000010
【図１０】
0004504905.tif 000011
【図１１】
0004504905.tif 000012
【図１２】
0004504905.tif 000013
【図１３】
0004504905.tif 000014
【図１４】
0004504905.tif 000015
【図１５】
0004504905.tif 000016
【図１６】
0004504905.tif 000017
【図１７】
0004504905.tif 000018